(57)【要約】四足動物用ハーネス（１０）が、四足動物の背中の所定の位置で支持されるよう構成された背部パッド（１２）を有する。また、パッドの後端に取り付けられ、四足動物の尻の周囲に延びるよう構成された尻部ストラップ（１４）と、パッドの前端に取り付けられ、四足動物の胸の周囲に延びるよう構成された胸部ストラップ（１６）と、パッドの対辺に取り付けられ、四足動物の腹部の周囲に延びるよう構成された腹部ストラップ（１８）と、腹部ストラップと胸部ストラップとを相互接続する連結ストラップ（２０）とを具える。取っ手（２２）が、背部パッドに取り付けられている。ストラップの構成により、使用するときに、背部パッドを所定の位置に保持して、取っ手を掴むときに人間が四足動物をコントロール及び操ることができるようになっている。【選択図】図１
2008524988.tif 000002
【特許請求の範囲】
【請求項１】
四足動物の背中の所定の位置で支持されるよう構成された背部パッドと、
前記パッドの後端に取り付けられ、前記四足動物の尻の周囲に延びるよう構成された尻部ストラップと、
前記パッドの前端に取り付けられ、前記四足動物の胸の周囲に延びるよう構成された胸部ストラップと、
前記パッドの対辺に取り付けられ、前記四足動物の腹部の周囲に延びるよう構成された腹部ストラップと、
前記腹部ストラップと前記胸部ストラップとを相互接続する連結ストラップと、
前記背部パッドに取り付けられた取っ手とを具え、
前記ストラップの構成が、使用するときに、前記背部パッドを所定の位置に保持して、前記取っ手を掴むときに人間が前記四足動物をコントロール及び操ることができるようになっていることを特徴とする四足動物用ハーネス。
【請求項２】
前記取っ手が、前記四足動物の背骨に沿って配列されていることを特徴とする請求項１に記載のハーネス。
【請求項３】
前記腹部ストラップが、前記背部パッドの一方の側に第１の端部が固定して取り付けられた第１の部分と、第１のバックル部材が取り付けられた第２の端部とを有し、
前記腹部ストラップが、さらに、前記背部パッドの対辺に第１の端部が弾性的に取り付けられた第２の部分と、第２のバックル部材が取り付けられた第２の端部とを有し、
前記第１及び第２のバックル部材が係合するよう構成されていることを特徴とする請求項１に記載のハーネス。
【請求項４】
前記取っ手が柔軟な材料でできていることを特徴とする請求項１に記載のハーネス。
【請求項５】
前記取っ手が堅い材料でできていることを特徴とする請求項１に記載のハーネス。
【請求項６】
前記連結ストラップが、その両端部の中間に伸縮性のある部分を有しており、前記胸部ストラップと前記腹部ストラップとの間の伸縮を実現することを特徴とする請求項１に記載のハーネス。
【発明の詳細な説明】
【技術分野】
【０００１】
本発明は、四足動物用ハーネスに関し、特に、生後に子馬又は若い馬を操って調教するために背中の取っ手を具えたハーネスに関する。
【０００２】
本発明は、本発明が一般に馬に似た他の若い動物及び四足動物の様々な「刷り込み」又は学習の体験活動にも適用されることが当業者にとって当然のことであるが、その適用が子馬及び若い馬に関連して以下に記載される。また、当然のことながら、本発明は、足のトリミング、マイクロチップの埋込、体の機能の監視、眼科診療、及び歯科診療とともに、注射による投薬、寄生虫駆除、及び経口投与（ｄｒｅｎｃｈｉｎｇ）を含む様々な学習型体験活動に適用されるが、これらに限定されるものではない。
【背景技術】
【０００３】
飼育下で生まれた子馬は、理想的には、成長するにつれて確実に扱い易くするための体験を幼い頃に持つべきである。これらは、例えば人間が馬に付き添って馬運車（ｈｏｒｓｅ  ｆｌｏａｔ）の上に連れて行くときに必要とされる、子馬を調教して導き、止まらせ、横に動かし、及び他の訓練された移動を行わせたりするだけでなく、人間の存在や人間による物理的処置、鞍、腹帯、胸板、テール及びランプ（尻部）ロープ、及びハーネスの装着に対して子馬を鈍感にすることを含む。調教は、生後できるだけ速く始めるべきであり、これによって行動パターンが定まる。このような若い時期の訓練によって、急速に変わることなく情報を吸収する。
【０００４】
伝統的に、子馬の調教は、頭冠によってｃｒｕｓｈ又は厩舎の中で行われ、子馬又は調教師がケガをする通常の危険の度合いを増している。
【０００５】
本発明に係るハーネスは、長期間の監視を目的とするマイクロチップの埋込だけではなく、寄生虫の治療のための経口ペースト、及び目の刺し傷及び潰瘍を治療するための軟膏の投与といった、子馬に薬剤又は他の物質を投与する分野で特に適用される。足のトリミング（脚の歪みを矯正する）は、本発明が適用される別の分野である。
【発明の開示】
【発明が解決しようとする課題】
【０００６】
上記のような多くの活動は、一般に、２人によってなされ、１人が子馬を落ち着かせ、必要に応じて抑え付け、もう１人が例えば鞍を付けたり又は投薬する。未経験者及び攻撃的又は神経質な子馬の危険性は、これらの活動中にケガをすることである。
【０００７】
さらに、上記のような活動を幼いときに適切に行っていない場合、子馬が成長するにつれて、調教するときに、良くない行動及び不安感を持つ癖が付く可能性がある。
【０００８】
子馬の胴体の周囲を固定し背骨領域に沿った上部の取っ手を有して人間が子馬をコントロール及び操ることのできるハーネスを用いた様々な学習の体験活動によって、幼いときに子馬を効果的且つ安全に調教できることが本発明の発明者によって見出されている。
【課題を解決するための手段】
【０００９】
本発明の目的及び概要
本発明は、従来技術の不利な点及び欠点を克服し、又は少なくとも実質上改善するようなハーネスを提供することを目的とする。
【００１０】
本発明によれば、四足動物の背中の所定の位置で支持されるよう構成された背部パッドと、パッドの後端に取り付けられ、四足動物の尻の周囲に延びるよう構成された尻部ストラップと、パッドの前端に取り付けられ、四足動物の胸の周囲に延びるよう構成された胸部ストラップと、パッドの対辺に取り付けられ、四足動物の腹部の周囲に延びるよう構成された腹部ストラップと、腹部ストラップと胸部ストラップとを相互接続する連結ストラップと、背部パッドに取り付けられた取っ手とを具えた四足動物用ハーネスが提供されており、ストラップの構成が、使用するときに、背部パッドを所定の位置に保持して、取っ手を掴むときに人間が四足動物をコントロール及び操ることができるようになっている。
【００１１】
好適には、取っ手が、四足動物の背骨に沿って配列されている。
【００１２】
好ましい形態では、腹部ストラップが、背部パッドの一方の側に第１の端部が固定して取り付けられた第１の部分と、第１のバックル部材が取り付けられた第２の端部とを有し、腹部ストラップが、さらに、背部パッドの対辺に第１の端部が弾性的に取り付けられた第２の部分と、第２のバックル部材が取り付けられた第２の端部とを有し、第１及び第２のバックル部材が係合するよう構成されている。
【００１３】
また、取っ手が柔軟な材料でできているのが好ましい。
【００１４】
また、取っ手が堅い材料でできていてもよい。
【発明を実施するための最良の形態】
【００１５】
本発明の最良の形態及び他の実施例
図示するハーネス１０は、子馬に使用するのに適応しており、背部パッド１２と、尻部ストラップ１４と、胸部ストラップ１６と、腹部ストラップ１８と、連結ストラップ２０と、柔軟な取っ手２２とを有している。
【００１６】
背部パッド１２は、この場合には、矩形状で、子馬の背中の中央部分の上に担持されるよう十分柔軟性があり、取っ手１２が、例えば金属製のリベット２４によって背部パッドの中央部分に子馬の背骨に沿って取り付けられている。この実施例では、背部パッド１２が革でできていて、フェルトの下敷きを有している。
【００１７】
尻部ストラップ１４が、背部パッド１２の後端に取り付けられており、十分な長さを有して子馬の尻の周囲に延びている。尻部ストラップ１４は、この場合には、ネオプレン又はポリエステルの帯ひも（ｗｅｂｂｉｎｇ）でできているが、代替的には革でできていてもよい。尻部ストラップ１４は、長い部分２６及び短い部分２８からなる２つの相互取付可能な部分でできている。尻部ストラップ１４の長い部分２６の一端は、リベット又はステッチによって背部パッド１２の後ろの隅部の一箇所に固定して取り付けられている。短い部分２８の一端が、もう一つの隅部に固定されており、雌型のバックル部材３０を終端とする。この雌型バックル部材３０は、尻部ストラップ１４の長い部分２６の自由端に取り付けられた雄型バックル部材３２に係合するよう構成される。（雌型バックルと雄型バックル３０，３２とを係合したときに）子馬の尻の周囲の尻部ストラップ１４の締付を、長い部分２６に沿って雄型バックル部材３２の位置を変えることによって調整してもよい。
【００１８】
胸部ストラップ１６が、背部パッド１２の前端に取り付けられており、十分な長さを有して子馬の胸部又は胸部の周囲を延びている。胸部ストラップ１６を尻部ストラップと同じような方法で作製してもよい。
【００１９】
背部パッド１２の対辺に腹部ストラップ１８が取り付けられており、十分な長さを有して、子馬の腹部又は下腹部の周囲を延びている。腹部ストラップ１８を尻部ストラップ１４又は胸部ストラップ１６と同じような方法で作製してもよく、付加的に、例えば腹部ストラップ１８が背部パッド１２に固定される場所といった、様々な腹部に適合する弾力性のある材料を有してもよい。
【００２０】
連結ストラップ２０は、腹部ストラップ１８の中央部と胸部ストラップ１６の中央部とを相互接続しており、中央部に弾力性の有る部分３４を有して、胸部ストラップ１６と腹部ストラップ１８との間の子馬の胴体の伸縮に適合する。また、この連結ストラップ２０は、雄型及び雌型バックル部材３２，３０を有している。代替的に、（ＶＥＬＣＲＯの商標で知られているような）非常に強力なマジックテープ（登録商標）を、バックル部材の代わりに用いてもよい。
【００２１】
図３に示すように、ストラップ１４，１６，１８，２０の空間的配置によって、子馬の背中の所望の中央部の上に背部パッド１２を保持するようになっている。
【００２２】
取っ手２２の位置は、人間が容易に取っ手を掴んで子馬をコントロールして操るような位置にある。
【００２３】
取っ手２２は、騎乗者が子馬を調教している時に通常直面する引張力又は圧縮力に耐えられるよう、十分耐久性があり、背部パッドに十分きつく固定されなければならない。ハーネスの取っ手を掴むことで、子馬が過度のストレスにさらされないような、又は騎乗者及び子馬がケガをする危険にさらさないような方法で、騎乗者が子馬とともに様々な学習又は調教の体験活動を行うことができる。
【００２４】
図２に示すハーネス４０は、ハーネス１０と同様であり、図１に関して使用されるのと同一の符号で同一の形態を識別する。伸縮性のある連結ストラップ２０が、帯ひもの材料でできた輪４２によって腹部ストラップ１８に摺動可能に取り付けられており、胸部ストラップ１６に取り付けられた雌型バックル部材３０に取付可能な雄型バックル部材３２を有している。
【００２５】
子馬又は若い馬を生まれた時から本発明を用いて調教したり又は「刷り込む」場合、取り扱いが、馬及び調教師の双方とって、著しくより安全且つより効果的であろう。本発明を単に操る器具として馬の成長の後期の段階で初めて使用する場合でも、取り扱いが、従来の方法よりも、より安全且つより効果的であろう。
【００２６】
本発明、特にその背中の取っ手の形態が、子馬の幼い時期により効果的に子馬を操ってコントロールする能力を調教師に与える。本発明によって、人間に服従し、刺激に敏感になり、それほどではないにせよ、外からの刺激に対して鈍感になり、そして人間と触れ合い易くなる。
【００２７】
また、本発明、特にその背中の取っ手の形態が、鞍、腹帯、胸板、テールロープ、及びハーネスの装着に対して子馬を鈍感にすることによって、身体的に子馬を操るより大きな能力を調教師に与える。背中の取っ手によって、調教師が子馬をコントロールする一方で、子馬にとって、背部パッド又はプレートが、何らかの馬の訓練で鞍に跨った今後の騎乗者が要求する横方向、後方、出走、停止、動きの手本となる。その扱い易さのため、本発明を使用する調教師は、アマチュア又はプロの馬の調教師のいずれであってもよく、調教師及び子馬の双方にとって安全に手綱さばきを実行する。
【００２８】
上述の記載は、単に本発明の原理を説明するものとして考えられる。さらに、多くの改良及び変更を当業者にとって容易に成し得るため、本発明の範囲内で、図示され記載された厳密な構造及び動作に本発明を制限することは好ましくなく、従って、全ての適切な改良及び相当するものを含めてもよい。
【図面の簡単な説明】
【００２９】
【図１】図１は、本発明の好ましい実施例に従った四足動物用ハーネスの側面図である。
【図２】図２は、本発明の別の好ましい実施例に従った四足動物用ハーネスの平面図である。
【図３】図３は、図２のハーネスを取り付けた子馬の側面図である。
【図１】
2008524988.tif 000003
【図２】
2008524988.tif 000004
【図３】
2008524988.tif 000005
【国際調査報告】
2008524988.tif 000006
2008524988.tif 000007
2008524988.tif 000008